(57)【特許請求の範囲】
【請求項１】
購入商品の登録処理を行い、入金キーを有するＰＯＳ端末と、
前記ＰＯＳ端末に接続された貨幣入出金装置とを備え、
前記貨幣入出金装置は、貨幣を取り出し可能に保持する貨幣投入部と、
前記貨幣投入部に貨幣が存在するか否かを検出する貨幣検出センサと、
前記貨幣投入部に貨幣を保持した状態で、収納された貨幣を出金する貨幣出金部と、
前記貨幣投入部に保持した貨幣を収納する貨幣収納部と、を備え、
前記貨幣検出センサが前記貨幣を検出したら、前記貨幣出金部により貨幣を出金し、出金後、前記入金キーが操作されたら、前記貨幣投入部に保持した貨幣を保持する状態から前記貨幣収納部へ貨幣を収納するＰＯＳシステム。
【請求項２】
前記貨幣検出センサは、前記貨幣投入部に貨幣を保持した状態であるか否かを検知する、請求項１に記載のＰＯＳシステム。
【請求項３】
前記貨幣検出センサにより貨幣を検知した場合、買い上げ金額と預かり金額との差額の有無に応じて前記貨幣出金部から出金する、請求項１または２に記載のＰＯＳシステム。
【請求項４】
前記貨幣検出センサで貨幣が無いと判断された場合は、入出金処理が不可となる、請求項１ないし３の何れか１つに記載のＰＯＳシステム。
【請求項５】
前記ＰＯＳシステムは、
前記登録処理時に、買い上げ金額表示を表示してからの経過時間を計時する計時部と、
前記計時部が所定の時間を超過し、なおかつ前記貨幣検出センサで貨幣が無いと判断された場合に報知する報知部と、
をさらに有する請求項１ないし４の何れか１つに記載のＰＯＳシステム。
【請求項６】
前記貨幣投入部は、貨幣入出金装置の上面に形成されたことを特徴とする請求項１ないし５の何れか１つに記載のＰＯＳシステム。
【発明の詳細な説明】
【技術分野】
【０００１】
本発明の実施形態はＰＯＳシステムに関する。
【背景技術】
【０００２】
最近、釣銭機を使って預かり金の入金、および釣銭の出金を行うＰＯＳシステムが普及している。量販店やスーパーマーケット等での会計時、ＰＯＳ端末を操作するオペレータは、現金授受のトラブルを回避するため次のような運用を行っている。先ず、顧客から代金として預かった預かり金は、数え終わった後、すぐに釣銭機には入金せずに、ＰＯＳ端末の吟味台と呼ばれる一時置き場に一時置きする。そして、預かり金の金額をＰＯＳ端末に手入力し、釣銭があると、その釣銭を出金して顧客に渡したあとで、一時置きした預かり金を釣銭機に入金していた。このような運用をすることで、釣銭を渡したあとで、顧客から預かり金の金額が違うなどの問合せがあった場合に、預かり金を確認することができ、金銭授受のトラブルを回避してきた。
【先行技術文献】
【特許文献】
【０００３】
【特許文献１】特開2005-222192号公報
【特許文献２】特開2009-134641号公報
【発明の概要】
【発明が解決しようとする課題】
【０００４】
しかしながら、この種のＰＯＳシステムにおいては、預かり金の一時置き場としてＰＯＳ端末に吟味台を設けていたので、この吟味台のスペース分だけＰＯＳ端末が大きくなり、ＰＯＳ端末を小型化する上で障害となっていた。
【０００５】
そこで、本発明が解決しようとする課題は、釣銭機の貨幣投入部を預かり金の一時置き場として利用することで吟味台のスペースをなくし、ＰＯＳ端末の小型化を図ることができ、その後の預かり金の入金処理も簡単に出来て、オペレータにとっての操作性を向上させるものである。
【課題を解決するための手段】
【０００６】
本発明の実施形態におけるＰＯＳシステムは、購入商品の登録処理を行い、入金キーを有するＰＯＳ端末と、前記ＰＯＳ端末に接続された貨幣入出金装置とを備え、前記貨幣入出金装置は、貨幣を取り出し可能に保持する貨幣投入部と、前記貨幣投入部に貨幣が存在するか否かを検出する貨幣検出センサと、前記貨幣投入部に貨幣を保持した状態で、収納された貨幣を出金する貨幣出金部と、前記貨幣投入部に保持した貨幣を収納する貨幣収納部と、を備え、前記貨幣検出センサが前記貨幣を検出したら、前記貨幣出金部により貨幣を出金し、出金後、前記入金キーが操作されたら、前記貨幣投入部に保持した貨幣を保持する状態から前記貨幣収納部へ貨幣を収納する。
【図面の簡単な説明】
【０００７】
【図１】実施形態のＰＯＳシステムの外観図。
【図２】釣銭機を示す機能ブロック図。
【図３】ＰＯＳシステムによる会計処理の処理フローチャートを示す図。
【発明を実施するための形態】
【０００８】
以下、実施形態のＰＯＳシステムを図面を参照して説明する。
【０００９】
図１は、実施形態のＰＯＳシステムの外観図である。図１に示すように、ＰＯＳシステム１は、ＰＯＳ端末２と、貨幣入出金装置としてのリサイクル型の自動釣銭機である釣銭機３とから構成されている。ＰＯＳ端末２は釣銭機３の上に載置されており、このＰＯＳ端末２には釣銭機３がデータ通信可能に接続されている。
【００１０】
ＰＯＳ端末２は、各部をその内部又は外部に配置するハウジング６を備え、このハウジング６の上面にはキーボード７が設けられている。そしてキーボード７の上方位置には、オペレータに対しての情報表示機能を有するオペレータ用表示器８が配置されている。ハウジング６及びオペレータ用表示器８の左側で、且つ、釣銭機３の上にはレシート用紙に印刷してレシートを発行するレシートプリンタ９が配置されている。オペレータ用表示器８の背面側には客用表示器１０が配置され、さらに、ＰＯＳ端末２はバーコードスキャナ１１を有する。  
貨幣入出金装置としての釣銭機３は、左右に配置された硬貨釣銭機４と紙幣釣銭機５とから構成され、硬貨釣銭機４の上にはレシートプリンタ９が、及び紙幣釣銭機５の上にはＰＯＳ端末２のハウジング６がそれぞれ配置されている。なお、硬貨釣銭機４と紙幣釣銭機５とは、一体型のものでも又は単体を組み合わせたものでもよい。
【００１１】
硬貨釣銭機４の上面前側には、その右側に貨幣投入部としての硬貨投入部１２が、その左側にディスプレイ１３a及び複数の操作ボタン１３ｂを備えた操作パネル１４が設けられている。この硬貨投入部１２は上方に開口した硬貨投入口１２ａを有し、複数枚のまとまった硬貨Ｃの載置（投入）を許容するものである。そして、この硬貨投入部１２は、載置（投入）された硬貨を機内へ取り込む構造になっている。例えば、硬貨投入部１２の底面を開閉構造にして底面上に載置された硬貨を下方へ落下させて搬送ベルトにより機内へ搬送させるようにしたもの、または底面を搬送ベルトの一部で構成して載置された硬貨をこの搬送ベルトにより機内へ搬送させるようにしたものでもよい。なお、この硬貨投入部１２には、載置（投入）された硬貨Ｃの有無を検出する貨幣検出センサ（図示せず）が設けられている。そして、硬貨釣銭機４の前面には、硬貨が払い出される硬貨払出口１５と、硬貨払出口１５から払い出された硬貨を受ける硬貨受皿１６とが設けられている。
【００１２】
次に、紙幣釣銭機５の上面前側には、貨幣投入部としての紙幣投入部１７が設けられている。この紙幣投入部１７は、紙幣Ｍの載置（挿入）を許容する紙幣挿入口１７ａと、この紙幣挿入口１７ａに載置（挿入）された紙幣Ｍを保持する紙幣挿入受部１７ｂとを有している。紙幣挿入口１７ａは複数枚のまとまった紙幣Ｍの載置（挿入）を許容するものである。なお、この紙幣投入部１７には、載置（挿入）された紙幣Ｍの有無を検出する貨幣検出センサ（図示せず）が設けられている。紙幣釣銭機５の前面には、紙幣が払い出される紙幣払出口１８が設けられている。
【００１３】
図２は、貨幣入出金装置としての釣銭機３を示す機能ブロック図である。釣銭機３は、硬貨（１円硬貨、５円硬貨、１０円硬貨、５０円硬貨、１００円硬貨、５００円硬貨）についての入出金機能を有する硬貨釣銭機４と、紙幣（１０００円紙幣、５０００円紙幣、１００００円紙幣）についての入出金機能を有する紙幣釣銭機５とを有する。
【００１４】
先ず、硬貨釣銭機４について説明する。硬貨釣銭機４は、貨幣入金部としての硬貨入金部２０、貨幣選別部としての硬貨選別部２１、貨幣収納部としての硬貨収納部２２、及び貨幣出金部としての硬貨出金部２３を含むものである。硬貨入金部２０は、貨幣投入部としての硬貨投入部１２（図１参照）を有し、硬貨投入部１２に載置（投入）された硬貨の入金を許容して硬貨を内部に搬送する。硬貨選別部２１は、硬貨入金部２０が入金を許容した硬貨をその搬送過程で金種に応じて選別する。硬貨収納部２２は、硬貨選別部２１が選別した硬貨を金種別に収納する。硬貨出金部２３は、硬貨払出口１５及び硬貨受皿１６（図１参照）を有し、硬貨収納部２２が収納している硬貨を、ＰＯＳ端末２からの払出指示に応じて硬貨払出口１５から出金する。
【００１５】
また、硬貨釣銭機４は、硬貨選別部２１に設けられて入金された硬貨を検出する硬貨入金センサ（図示せず）と、硬貨出金部２３に設けられて出金される硬貨を検出する硬貨出金センサ（図示せず）を有する。
【００１６】
次に、紙幣釣銭機５について説明する。紙幣釣銭機５は、貨幣入金部としての紙幣入金部２４、貨幣選別部としての紙幣選別部２５、貨幣収納部としての紙幣収納部２６、及び貨幣出金部としての紙幣出金部２７を含むものである。紙幣入金部２４は、貨幣投入部としての紙幣投入部１７（図１参照）を有し、紙幣投入部１７に載置（挿入）された紙幣の入金を許容して紙幣を内部に搬送する。紙幣選別部２５は、紙幣入金部２４が入金を許容した紙幣をその搬送過程で金種に応じて選別する。紙幣収納部２６は、紙幣選別部２５が選別した紙幣を金種別に収納する。紙幣出金部２７は、紙幣払出口１８（図１参照）を有し、紙幣収納部２６が収納している紙幣を、ＰＯＳ端末２からの払出指示に応じて紙幣払出口１８から出金する。
【００１７】
また、紙幣釣銭機５は、紙幣選別部２５に設けられて入金された紙幣を検出する紙幣入金センサ（図示せず）と、紙幣出金部２７に設けられて出金される紙幣を検出する紙幣出金センサ（図示せず）を有する。
【００１８】
次に、本ＰＯＳシステム１における会計処理について、図３に示す処理フローチャートを用いて説明する。
【００１９】
図３の処理フローチャートに示すように、まず、顧客が商品をレジに持ってくると、オペレータは商品のバーコードを読取って商品情報の読取りを行う（ステップＳ１）。オペレータは全ての商品のバーコード読取りが完了するまで動作を続ける。なお、バーコードの付与されていない商品や同一商品を多数販売する場合などにはキーボード７で品目コードや価格、数量を入力する（ステップＳ２）。そして、全商品の登録（読取入力）が完了すると、オペレータは買上合計を算出すべき操作を行い、オペレータ用表示器８および客用表示器１０に合計金額を表示させる。ここで、オペレータは買上金の代金支払いを求める（ステップＳ３）。顧客は客用表示器１０に表示された買上合計金額を目視して、その代金をオペレータへ渡す。なお、クレジットカード等による支払いの可能性もあるが、本ＰＯＳシステムでは説明を省略する。
【００２０】
次に、オペレータは顧客より代金としての預かり金を受け取ると、その金額を確認し口頭にて顧客に復唱する。そして、その預かり金を釣銭機３の貨幣投入部（硬貨投入部１２および紙幣投入部１７）に載置（投入または挿入）して取り出し可能に保持させる。この貨幣投入部（硬貨投入部１２および紙幣投入部１７）における貨幣（預かり金）の有無を貨幣検出センサ（図示せず）が検出する（ステップＳ４）。ＰＯＳ端末２はタイマー機能を有しており、このタイマー機能で所定時間計測し、その時間内に貨幣の存在が検出されない時は、預かり金が保持されていないと判断し、警報音等で貨幣投入部に預かり金が保持されていないことをオペレータに知らせる（ステップＳ５）。この警報音が発せられると、オペレータは預かり金の状態を再確認し、預かり金をあらためて貨幣投入部に載置して保持させる。ステップＳ４で貨幣投入部（硬貨投入部１２および紙幣投入部１７）における貨幣（預かり金）の保持が確認されると、オペレータは確認した預かり金の金額をキーボード７で手入力する（ステップＳ６）。この入力があると、ＰＯＳ端末２は預かり金の金額と買上合計金額との差額を算出し、その差額をオペレータ用表示器８および客用表示器１０に表示する（ステップＳ７）。
【００２１】
次に、オペレータは差額があるか、否かを確認する。そして、差額があると、オペレータはＰＯＳ端末２から釣銭機３に対して差額の金額を釣銭として出金するよう出金キー（図示せず）を操作して指示する（ステップＳ８）。この指示を受けると、釣銭機３は、預かり金を貨幣投入部（硬貨投入部１２および紙幣投入部１７）に保持した状態で、釣銭を貨幣出金部（硬貨出金部２３および紙幣出金部２７）から出金する（ステップＳ９）。そして、オペレータはこの釣銭を顧客に対して預かり金のお釣りとして支払う。併せてレシートプリンタ９でレシートを発行し（ステップＳ１０）、そのレシートを顧客に渡す。なお、ステップＳ８で確認した差額なしの場合もレシートプリンタ９でレシートを発行し（ステップＳ１０）、そのレシートを顧客に渡す。
【００２２】
その後、オペレータは、預かり金の金額に問題がないか判断し、問題がない場合は、釣銭機３の貨幣投入部に保持した預かり金を、POS端末２の入金キー（図示せず）を操作して（ステップＳ１１）、釣銭機３へ入金、格納させる（ステップＳ１２）。なお、ステップＳ１１でPOS端末２の入金キー（図示せず）が操作されず、預かり金の金額に問題がある場合は、釣銭機３の貨幣投入部に取り出し可能に保持した預かり金の金額と、ステップS６で手入力した金額を再確認して問題を解消させる。（ステップＳ１３）。
【００２３】
なお、貨幣投入部としての硬貨投入部１２および紙幣投入部１７は、硬貨や紙幣を取り出し可能に保持するものであり、取り出し可能に保持するものであればどんな構造でもよい。例えば、載置された硬貨や紙幣を釣銭機３の内部で保持するものや、釣銭機３の表面に載置して保持するものでもよい。また、貨幣投入部としての硬貨投入部１２は硬貨釣銭機４の上面前側に、および貨幣投入部としての紙幣投入部１７は紙幣釣銭機５の上面前側にそれぞれ形成したが、これら硬貨投入部１２および紙幣投入部１７を、硬貨釣銭機４および紙幣釣銭機５の側面にそれぞれ形成してもよい。それから、本実施形態では、貨幣の出金指令をＰＯＳ端末2からの指示で行ったが、釣銭機３からの指示で行ってもよい。なお、本実施形態における貨幣としての硬貨や紙幣の取り出し可能な保持とは、オペレータが会計処理中にいつでも必要な時にその硬貨や紙幣を取り出せる状態になっているものである。
【００２４】
以上、説明したように、本実施形態のＰＯＳシステムによれば、釣銭機の貨幣投入部（硬貨投入部および紙幣投入部）を預かり金の一時置き場として利用することで、ＰＯＳ端末における吟味台のスペースをなくし、ＰＯＳ端末の小型化を図ることができる。その後の預かり金の入金処理もＰＯＳ端末等から入金指示により簡単にでき、オペレータにとっての操作性を向上させるものである。
【００２５】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２６】
１              ＰＯＳシステム
２              ＰＯＳ端末
３              釣銭機（貨幣入出金装置）
４              硬貨釣銭機
５              紙幣釣銭機
１２            硬貨投入部（貨幣投入部）
１７            紙幣投入部（貨幣投入部）
２２            硬貨収納部（貨幣収納部）
２３            硬貨出金部（貨幣出金部）
２６            紙幣収納部（貨幣収納部）
２７            紙幣出金部（貨幣出金部）
Ｃ              硬貨（貨幣）
Ｍ              紙幣（貨幣）
【図１】
0005681764.tif 000002
【図２】
0005681764.tif 000003
【図３】
0005681764.tif 000004